(57)【特許請求の範囲】
【請求項１】
ベースプレートとカバープレートとを有するハウジングと，
前記ベースプレート上に設けられるスピンドルモータと，
前記スピンドルモータに装着されるデータ貯蔵用ディスクと，
前記ベースプレート上に回動自在に設けられ，前記ディスクにデータを記録し，かつ記録されたデータを読出すための磁気ヘッドを有するアクチュエータと，
前記ディスクの表面上に空気ダンパを形成して前記ディスクの振動を低減させるディスク振動低減手段とを具備し，
前記ディスク振動低減手段は，
前記ディスクの外周側底面と対向するように前記ベースプレートの上面に設けられた下部空気ダンパ形成部材と，
前記ディスクの外周側上面と対向するように前記カバープレートの底面に設けられた上部空気ダンパ形成部材とを含み，
前記空気ダンパ形成部材の前記ディスクの各対向面には，前記ディスクの回転方向に沿って前記ディスクとの間隔が段々狭くなるように前記ディスクの円周方向に傾いた少なくとも２つの空気圧縮面が連続的に形成されていることを特徴とするハードディスクドライブ。
【請求項２】
ベースプレートとカバープレートとを有するハウジングと，
前記ベースプレート上に設けられるスピンドルモータと，
前記スピンドルモータに装着されるデータ貯蔵用ディスクと，
前記ベースプレート上に回動自在に設けられ，前記ディスクにデータを記録し，かつ記録されたデータを読出すための磁気ヘッドを有するアクチュエータと，
前記ディスクの表面上に空気ダンパを形成して前記ディスクの振動を低減させるディスク振動低減手段とを具備し，
前記ディスク振動低減手段は，
前記ディスクの外周側底面と対向するように前記ベースプレートの上面に設けられた下部空気ダンパ形成部材と，
前記ディスクの外周側上面と対向するように前記カバープレートの底面に設けられた上部空気ダンパ形成部材とを含み，
前記空気ダンパ形成部材の前記ディスクの各対向面には，前記ディスクの回転方向に沿って前記ディスクとの間隔が段々狭くなるように前記ディスクの円周方向に傾いた空気圧縮面が形成され，
前記ディスク振動低減手段の前記空気ダンパ形成部材は，前記アクチュエータの動作範囲を除外した前記ディスクの外周側全表面と対向するように前記アクチュエータと干渉する部位が開放されたＣ形状を有し，
前記空気圧縮面は，前記ディスクの円周方向に沿って前記空気ダンパ形成部材の一端部から他端部まで多数が連続的に形成されていることを特徴とするハードディスクドライブ。
【請求項３】
前記下部空気ダンパ形成部材は前記ベースプレートと一体に形成され，前記上部空気ダンパ形成部材は前記カバープレートと一体に形成されることを特徴とする請求項１または２に記載のハードディスクドライブ。
【請求項４】
前記空気圧縮面は前記ディスクの半径方向に傾いて前記ディスクの内周側から外周側へいくほど前記ディスクとの間隔が段々狭くなっていることを特徴とする請求項１から３のいずれか１項に記載のハードディスクドライブ。
【請求項５】
前記ディスク振動低減手段は前記アクチュエータに近接してその前方に設けられることを特徴とする請求項１，３または４に記載のハードディスクドライブ。
【請求項６】
前記ディスク振動低減手段は前記スピンドルモータを中心に互いに対向する２箇所に設けられることを特徴とする請求項１，３または４に記載のハードディスクドライブ。
【請求項７】
ベースプレートとカバープレートとを有するハウジングと，
前記ベースプレート上に設けられるスピンドルモータと，
前記スピンドルモータに装着されるデータ貯蔵用の少なくとも２つのディスクと，
前記ベースプレート上に回動自在に設けられ，前記ディスクにデータを記録し，かつ記録されたデータを読出すための磁気ヘッドを有するアクチュエータと，
前記ディスクの表面上に空気ダンパを形成して前記ディスクの振動を低減させるディスク振動低減手段とを具備し，
前記ディスク振動低減手段は，
前記ディスクのうち最下端のディスクの外周側底面と対向するように前記ベースプレートの上面に設けられた下部空気ダンパ形成部材と，
前記ディスクのうち最上端のディスクの外周側上面と対向するように前記カバープレートの底面に設けられた上部空気ダンパ形成部材と，
前記ディスク間に位置する中間空気ダンパ形成部材とを含み，
前記空気ダンパ形成部材の前記ディスクの各対向面には，前記ディスクの回転方向に沿って前記ディスクとの間隔が段々狭くなるように前記ディスクの円周方向に傾いた少なくとも一つの空気圧縮面が形成され，
前記下部空気ダンパ形成部材は前記ベースプレートと一体に形成され，前記上部空気ダンパ形成部材は前記カバープレートと一体に形成され，前記中間空気ダンパ形成部材は前記ベースプレート上に回動自在に設けられたことを特徴とするハードディスクドライブ。
【請求項８】
ベースプレートとカバープレートとを有するハウジングと，
前記ベースプレート上に設けられるスピンドルモータと，
前記スピンドルモータに装着されるデータ貯蔵用の少なくとも２つのディスクと，
前記ベースプレート上に回動自在に設けられ，前記ディスクにデータを記録し，かつ記録されたデータを読出すための磁気ヘッドを有するアクチュエータと，
前記ディスクの表面上に空気ダンパを形成して前記ディスクの振動を低減させるディスク振動低減手段とを具備し，
前記ディスク振動低減手段は，
前記ディスクのうち最下端のディスクの外周側底面と対向するように前記ベースプレートの上面に設けられた下部空気ダンパ形成部材と，
前記ディスクのうち最上端のディスクの外周側上面と対向するように前記カバープレートの底面に設けられた上部空気ダンパ形成部材と，
前記ディスク間に位置する中間空気ダンパ形成部材とを含み，
前記空気ダンパ形成部材の前記ディスクの各対向面には，前記ディスクの回転方向に沿って前記ディスクとの間隔が段々狭くなるように前記ディスクの円周方向に傾いた少なくとも２つの空気圧縮面が連続的に形成されていることを特徴とするハードディスクドライブ。
【請求項９】
前記空気圧縮面は前記ディスクの半径方向に傾いて前記ディスクの内周側から外周側へいくほど前記ディスクとの間隔が段々狭くなっていることを特徴とする請求項７または８に記載のハードディスクドライブ。
【請求項１０】
前記空気圧縮面は少なくとも２つが連続的に形成されていることを特徴とする請求項７または９に記載のハードディスクドライブ。
【請求項１１】
前記ディスク振動低減手段は前記アクチュエータに近接してその前方に設けられることを特徴とする請求項７から１０のいずれか１項に記載のハードディスクドライブ。
【請求項１２】
前記ディスク振動低減手段は前記スピンドルモータを中心に互いに対向する２箇所に設けられることを特徴とする請求項７から１０のいずれか１項に記載のハードディスクドライブ。
【請求項１３】
前記ディスク振動低減手段の前記空気ダンパ形成部材は，前記アクチュエータの動作範囲を除外した前記ディスクの外周側全表面と対向するように前記アクチュエータと干渉する部位が開放されたＣ形状を有することを特徴とする請求項７または９に記載のハードディスクドライブ。
【請求項１４】
前記空気圧縮面は，前記ディスクの円周方向に沿って前記空気ダンパ形成部材の一端部から他端部まで多数が連続的に形成されていることを特徴とする請求項１３に記載のハードディスクドライブ。
【請求項１５】
ベースプレートとカバープレートとを有するハウジングと，
前記ベースプレート上に設けられるスピンドルモータと，
前記スピンドルモータに装着されるデータ貯蔵用の少なくとも２つのディスクと，
前記ベースプレート上に回動自在に設けられ，前記ディスクにデータを記録し，かつ記録されたデータを読出すための磁気ヘッドを有するアクチュエータと，
前記ディスクの表面上に空気ダンパを形成して前記ディスクの振動を低減させるディスク振動低減手段とを具備し，
前記ディスク振動低減手段は，
前記ディスクのうち最下端のディスクの外周側底面と対向するように前記ベースプレートの上面に設けられた下部空気ダンパ形成部材と，
前記ディスクのうち最上端のディスクの外周側上面と対向するように前記カバープレートの底面に設けられた上部空気ダンパ形成部材と，
前記ディスク間に位置する中間空気ダンパ形成部材とを含み，
前記空気ダンパ形成部材の前記ディスクの各対向面には，前記ディスクの回転方向に沿って前記ディスクとの間隔が段々狭くなるように前記ディスクの円周方向に傾いた空気圧縮面が形成され，
前記ディスク振動低減手段の前記空気ダンパ形成部材は，前記アクチュエータの動作範囲を除外した前記ディスクの外周側全表面と対向するように前記アクチュエータと干渉する部位が開放されたＣ形状を有し，
前記空気圧縮面は，前記ディスクの円周方向に沿って前記空気ダンパ形成部材の一端部から他端部まで多数が連続的に形成されていることを特徴とするハードディスクドライブ。
【請求項１６】
前記中間空気ダンパ形成部材は少なくとも２つに分けられ，その各々は前記ベースプレート上に回動自在に設けられたことを特徴とする請求項１４または１５に記載のハードディスクドライブ。
【発明の詳細な説明】
【０００１】
【発明の属する技術分野】
本発明はハードディスクドライブに係り，より詳細には回転するディスクの振動を低減させるためのディスク振動低減手段を有するハードディスクドライブに関する。
【０００２】
【従来の技術】
ハードディスクドライブ（ＨＤＤ；Ｈａｒｄ  Ｄｉｓｋ  Ｄｒｉｖｅ）はコンピュータの補助記憶装置のうちの一つであって，磁気ヘッドにより磁気ディスクに貯蔵されたデータを読出したり，磁気ディスクにデータを記録したりする装置である。最近ではこのようなＨＤＤの高速化，高容量化，低振動化及び低騷音化の実現のために多様な研究開発が進んでいる。
【０００３】
図１は，従来のＨＤＤを示した平面図であり，図２は図１に示されたＨＤＤの一部を拡大して示した斜視図である。図１と図２とを共に参照すれば，ＨＤＤはデータの記録のための記録媒体である磁気ディスク（ハードディスク）２０と，ベース１０上に設けられてディスク２０を回転させるスピンドルモータ３０と，ディスク２０にデータを記録してディスク２０に記録されたデータを再生するための磁気ヘッド４１を有するアクチュエータ４０とを具備している。
【０００４】
ディスク２０は，一般的に一つまたは複数が互いに所定間隔離れてスピンドルモータ３０により回転されるように設けられる。そして，ディスク２０の内周側には電源オフ時にスライダー４２が安着されるパーキングゾーン２１が設けられており，パーキングゾーン２１の外側には磁気信号が記録されるデータゾーン２２が設けられている。データゾーン２２には記録される情報の位置を知らせるサーボ信号がディスク２０の円周に沿って形成された数万個のトラックにあらかじめ記録されている。
【０００５】
アクチュエータ４０は，ボイスコイルモータ４８によりベース１０上に設けられた回動軸４７を中心に回動するようになっている。アクチュエータ４０は回動軸４７に回動可能に結合されたアーム４６と，このアーム４６に設けられて磁気ヘッド４１が搭載されたスライダー４２をディスク２０の表面側に付勢されるように支持するサスペンション４４とを具備する。
【０００６】
ＨＤＤの電源がオフされている間にはスライダー４２はサスペンション４４の弾性力によりディスク２０のパーキングゾーン２１に安着されている。電源がオンされてディスク２０が回転し始めると空気圧による揚力が発生し，これによりスライダー４２は浮き上がる。スライダー４２は浮き上がった状態でアクチュエータ４０の回動によりディスク２０のデータゾーン２２に移動する。ディスク２０のデータゾーン２２に移動したスライダー４２は，図３に示されたように，ディスク２０の回転による揚力とサスペンション４４による弾性力とが平衡をなす高さで浮き上がった状態を維持するので，スライダー４２に搭載された磁気ヘッド４１は回転するディスク２０と一定の間隔を維持してディスク２０にデータを記録及び再生する。
【０００７】
なお，本願の発明に関連する先行技術文献情報としては次のものがある。
【０００８】
【特許文献１】
特開２０００−３３１４６０号公報
【０００９】
【発明が解決しようとする課題】
ところで，このような構成を有する従来のＨＤＤにおいてはスピンドルモータ３０の部品欠陥，ディスク２０の組立て偏心，ＨＤＤ内の不規則な空気流動により回転するディスク２０に振動が発生する。このような振動には回転する度に反復される成分であるＲＲＯ（Ｒｅｐｅａｔａｂｌｅ  Ｒｕｎｏｕｔ）と，反復されない成分であるＮＲＲＯ（Ｎｏｎ−Ｒｅｐｅａｔａｂｌｅ  Ｒｕｎｏｕｔ）とがある。ＲＲＯは規則的に反復されるのでサーボ制御システムによりある程度補償できるが，ＮＲＲＯにはこれをあらかじめ予測して補償し難い問題点がある。このようなディスク振動は，磁気ヘッド４１のデータ記録及び再生能力を低下させ，結局ＨＤＤの性能に悪影響を及ぼす。
【００１０】
従来では，ディスク２０に振動が発生した場合，スライダー４２とディスク２０との間に存在する空気のダンピング効果によりある程度の間隔を維持できた。しかし，ディスク２０の回転速度が速くなり，ディスク２０が薄くなるに従い，ディスク振動はさらに大きくなり，上記のサーボ制御システムや，スライダー４２とディスク２０との間の空気ダンピング効果だけでは正確なデータの記録や再生が困難になる。さらに，近年ＴＰＩ（Ｔｒａｃｋ  ｐｅｒ  Ｉｎｃｈ）が高くなるに従い，ディスク振動は磁気ヘッド４１の正確な位置制御をさらに難しくしている。
【００１１】
このようにＨＤＤはその性能に対する信頼性確保のためにその作動中に発生するディスク振動を低減させる必要がある。さらに，最近ＨＤＤが高速化，高容量化，低騷音化するにつれて，ディスク振動の低減はいっそう重要な解決課題となっている。
【００１２】
本発明は前記のような従来の技術の問題点を解決するために創出されたものであり，回転するディスクの振動を低減可能なＨＤＤを提供することにその目的がある。
【００１３】
【課題を解決するための手段】
前記の技術的課題を達成するために本発明は，ベースプレートとカバープレートとを有するハウジングと，前記ベースプレート上に設けられるスピンドルモータと，前記スピンドルモータに装着されるデータ貯蔵用ディスクと，前記ベースプレート上に回動自在に設けられ，前記ディスクにデータを記録し，かつ記録されたデータを読出すための磁気ヘッドを有するアクチュエータと，前記ディスクの表面上に空気ダンパを形成して前記ディスクの振動を低減させるディスク振動低減手段とを具備し，前記ディスク振動低減手段は，前記ディスクの外周側底面と対向するように前記ベースプレートの上面に設けられた下部空気ダンパ形成部材と，前記ディスクの外周側上面と対向するように前記カバープレートの底面に設けられた上部空気ダンパ形成部材とを含み，前記空気ダンパ形成部材の前記ディスクの各対向面には，前記ディスクの回転方向に沿って前記ディスクとの間隔が段々狭くなるように前記ディスクの円周方向に傾いた少なくとも２つの空気圧縮面が連続的に形成されていることを特徴とするハードディスクドライブを提供する。
【００１４】
ここで，前記下部空気ダンパ形成部材は前記ベースプレートに一体に形成され，前記上部空気ダンパ形成部材は前記カバープレートに一体に形成されることが望ましい。
【００１５】
そして，前記空気圧縮面は前記ディスクの半径方向に傾いて前記ディスクの内周側から外周側へいくほど前記ディスクとの間隔が段々狭くなっていることが望ましい。
【００１６】
前記ディスク振動低減手段は前記アクチュエータに近接してその前方に設けられることが望ましい。
【００１７】
また，前記ディスク振動低減手段は前記スピンドルモータを中心に互いに対向する２箇所に設けられることも望ましい。
【００１８】
また，前記の技術的課題を達成するために本発明は，ベースプレートとカバープレートとを有するハウジングと，前記ベースプレート上に設けられるスピンドルモータと，前記スピンドルモータに装着されるデータ貯蔵用ディスクと，前記ベースプレート上に回動自在に設けられ，前記ディスクにデータを記録し，かつ記録されたデータを読出すための磁気ヘッドを有するアクチュエータと，前記ディスクの表面上に空気ダンパを形成して前記ディスクの振動を低減させるディスク振動低減手段とを具備し，前記ディスク振動低減手段は，前記ディスクの外周側底面と対向するように前記ベースプレートの上面に設けられた下部空気ダンパ形成部材と，前記ディスクの外周側上面と対向するように前記カバープレートの底面に設けられた上部空気ダンパ形成部材とを含み，前記空気ダンパ形成部材の前記ディスクの各対向面には，前記ディスクの回転方向に沿って前記ディスクとの間隔が段々狭くなるように前記ディスクの円周方向に傾いた空気圧縮面が形成され，前記ディスク振動低減手段の前記空気ダンパ形成部材は，前記アクチュエータの動作範囲を除外した前記ディスクの外周側全表面と対向するように前記アクチュエータと干渉する部位が開放されたＣ形状を有し，前記空気圧縮面は，前記ディスクの円周方向に沿って前記空気ダンパ形成部材の一端部から他端部まで多数が連続的に形成されていることを特徴とするハードディスクドライブを提供する。
【００１９】
そして，本発明によるＨＤＤは，少なくとも２つのディスクが設けられた場合に，前記下部空気ダンパ形成部材と上部空気ダンパ形成部材以外にも前記ディスク間に位置する中間空気ダンパ形成部材をさらに含むディスク振動低減手段を具備し，前記下部空気ダンパ形成部材と上部空気ダンパ形成部材とは各々前記ベースプレートとカバープレートとに一体に形成され，前記中間空気ダンパ形成部材は前記ベースプレート上に回動自在に設けられる。
【００２１】
【発明の実施の形態】
以下，添付した図面を参照して本発明の実施の形態によるディスク振動低減手段が設けられたＨＤＤの望ましい例を詳細に説明する。
【００２２】
図４は，本発明の第１実施例によるディスク振動低減手段が設けられたＨＤＤを示した分解斜視図であり，図５は，図４に示されたディスク振動低減手段が設けられた部位を拡大して示した部分側面図である。
【００２３】
図４と図５とを共に参照すれば，本発明の第１実施例によるＨＤＤは所定の内部空間を有するハウジング１１０を具備しており，このハウジング１１０内にスピンドルモータ１３０と，磁気ディスク１２０ａ，１２０ｂと，アクチュエータ１４０及びディスク振動低減手段１５０とが設けられる。
【００２４】
ハウジング１１０はコンピュータの本体内に設けられるものであり，スピンドルモータ１３０とアクチュエータ１４０とを支持するベースプレート１１１と，ベースプレート１１１の上部に結合されてディスク１２０ａ，１２０ｂなどを包んで保護するカバープレート１１２とで構成されている。このようなハウジング１１０は通常ステンレスまたはアルミニウム材質で製作される。
【００２５】
そして，ハウジング１１０の内部には一つまたは複数のディスク１２０ａ，１２０ｂが設けられる。従来にはデータの貯蔵容量を増加させるためにＨＤＤに４つまたはそれ以上のディスクを設置することもあったが，最近にはディスクの面記録密度が急激に増加して一つまたは２つのディスクだけでも十分な容量のデータを貯蔵できるようになった。したがって，最近では一つまたは２つのディスクだけを有するＨＤＤが主流をなしている。これにより，以下，２つのディスク１２０ａ，１２０ｂを有するＨＤＤを基準として本実施の形態を説明する。しかし，以下に説明される本実施の形態は２つのディスク１２０ａ，１２０ｂを有する場合に限って適用されるものではなく，一つのディスクを有する場合と３つ以上のディスクを有する場合にも当然適用される。
【００２６】
スピンドルモータ１３０はディスク１２０ａ，１２０ｂを回転させるためのものであり，ベースプレート１１１上に固設される。このスピンドルモータ１３０に２つのディスク１２０ａ，１２０ｂが設けられる場合には，２つのディスク１２０ａ，１２０ｂ間の間隔を維持するためのリング状のスペーサ１３２が２つのディスク１２０ａ，１２０ｂの間に挟まれ，スピンドルモータ１３０の上端部にはディスク１２０ａ，１２０ｂの離脱を防止するためのクランプ１３４が結合される。
【００２７】
アクチュエータ１４０はディスク１２０ａ，１２０ｂにデータを記録したり記録されたデータを読出すための装置であって，ベースプレート１１１上に回動自在に設けられる。アクチュエータ１４０は回動軸１４７に回動自在に結合されたアーム１４６と，このアーム１４６に設けられて磁気ヘッドが搭載されたスライダー１４２をディスク１２０ａ，１２０ｂの表面側に付勢するように支持するサスペンション１４４とを具備する。
【００２８】
そして，本実施の形態によるＨＤＤにはディスク１２０ａ，１２０ｂの回転時にディスク振動を低減させるためのディスク振動低減手段１５０が設けられる。ディスク振動低減手段１５０は，第１ディスク１２０ａの下方に設けられる下部空気ダンパ形成部材１５１と，第２ディスク１２０ｂの上方に設けられる上部空気ダンパ形成部材１５２とを具備する。そして，ディスク振動低減手段１５０は，図示されたように，２つのディスク１２０ａ，１２０ｂが設けられた場合にはこれらの間に位置する中間空気ダンパ形成部材１５３をさらに具備できる。
【００２９】
下部空気ダンパ形成部材１５１，上部空気ダンパ形成部材１５２，中間空気ダンパ形成部材１５３はアクチュエータ１４０に近接してその前方に設けられる。これは，アクチュエータ１４０の端部に設けられて磁気ヘッドが搭載されたスライダー１４２と下部空気ダンパ形成部材１５１，上部空気ダンパ形成部材１５２，中間空気ダンパ形成部材１５３とが近いほどこれらによるディスク振動低減の効果が磁気ヘッドにいっそう確実に現われうるからである。
【００３０】
そして，下部空気ダンパ形成部材１５１，上部空気ダンパ形成部材１５２，中間空気ダンパ形成部材１５３はディスク１２０ａ，１２０ｂの外周側表面と対向するように設けられる。また，下部空気ダンパ形成部材１５１，上部空気ダンパ形成部材１５２，中間空気ダンパ形成部材１５３はディスク１２０ａ，１２０ｂを介して互いに対応する位置に設けられる。具体的に，下部空気ダンパ形成部材１５１は第１ディスク１２０ａの底面と対向するようにベースプレート１１１の上面に設けられ，上部空気ダンパ形成部材１５２は第２ディスク１２０ｂの上面と対向するようにカバープレート１１２の底面に設けられる。そして，下部空気ダンパ形成部材１５１と上部空気ダンパ形成部材１５２とは各々ベースプレート１１１とカバープレート１１２とに一体に形成されることが望ましい。これは，ベースプレート１１１とカバープレート１１２とを製造する時に下部空気ダンパ形成部材１５１と上部空気ダンパ形成部材１５２とを同時に形成できるため，その製造工程が簡単で製造コストが節減できるからである。しかし，下部空気ダンパ形成部材１５１と上部空気ダンパ形成部材１５２とを別の部材で製造した後，これらをベースプレート１１１とカバープレート１１２とに各々固設することもできる。
【００３１】
一方，中間空気ダンパ形成部材１５３は，その一端部がベースプレート１１１の角部に突設された回動ピン１１３に回動自在に結合され，その他端部は２つのディスク１２０ａ，１２０ｂの間に位置するように設けられる。このように中間空気ダンパ形成部材１５３を回動自在にしたのは，中間空気ダンパ形成部材１５３は下部及び上部空気ダンパ形成部材１５１，１５２とは異なって２つのディスク１２０ａ，１２０ｂの間に位置するために，ディスク１２０ａ，１２０ｂをスピンドルモータ１３０に結合させる時に互いに干渉することを避けるためである。
【００３２】
図６は，図４に示された中間空気ダンパ形成部材の動作を説明するための部分拡大斜視図である。図６を参照すれば，第１ディスク１２０ａをスピンドルモータ１３０に組立てる前には，図６に一点鎖線で表示されたように，中間空気ダンパ形成部材１５３は回動ピン１１３を中心に回動してその他端部がベースプレート１１１の外に位置する。次いで，第１ディスク１２０ａをスピンドルモータ１３０に組立てた後，中間空気ダンパ形成部材１５３を矢印方向に回動させてその他端部を第１ディスク１２０ａの上に位置させる。次に，第２ディスク１２０ｂをスピンドルモータ１３０に組立てれば，２つのディスク１２０ａ，１２０ｂを中間空気ダンパ形成部材１５３に干渉されずにスピンドルモータ１３０に組立てることができる。一方，２つのディスク１２０ａ，１２０ｂをいずれもスピンドルモータ１３０に組立てた後，中間空気ダンパ形成部材１５３を矢印方向に回動させてその他端部を２つのディスク１２０ａ，１２０ｂの間に挿入させることもできる。
【００３３】
再び図４と図５とを共に参照すれば，下部空気ダンパ形成部材１５１，上部空気ダンパ形成部材１５２，中間空気ダンパ形成部材１５３それぞれのディスク対向面には少なくとも一つの空気圧縮面１５１ａ，１５２ａ，１５３ａが形成されている。空気圧縮面１５１ａ，１５２ａ，１５３ａはディスク１２０ａ，１２０ｂの回転方向に沿って徐々にディスク１２０ａ，１２０ｂとの間隔が狭くなるように傾いている。すなわち，空気圧縮面１５１ａ，１５２ａ，１５３ａはディスク１２０ａ，１２０ｂの円周方向に傾いており，空気圧縮面１５１ａ，１５２ａ，１５３ａとディスク１２０ａ，１２０ｂとの間隔は，空気が流入される空気流入端１５１ｂよりも空気が排出される空気排出端１５１ｃで狭くなっている。例えば，空気流入端１５１ｂでの前記間隔Ｇ１は約１〜１．５ｍｍであり，空気排出端１５１ｃでの前記間隔Ｇ２は約０．１〜０．６ｍｍである。
【００３４】
このような空気圧縮面１５１ａ，１５２ａ，１５３ａを有する上部空気ダンパ形成部材１５２，中間空気ダンパ形成部材１５３は，ディスク１２０ａ，１２０ｂとの間に空気ダンパを形成してディスク振動を低減させる役割をする。すなわち，ディスク１２０ａ，１２０ｂの回転により空気流入端１５１ｂに流入された空気は傾いた空気圧縮面１５１ａ，１５２ａ，１５３ａに沿って流動しながら徐々に圧縮され，これによりディスク１２０ａ，１２０ｂの両側面に圧縮空気による圧力が加わる。このようにディスク１２０ａ，１２０ｂの両側面に作用する圧縮空気による圧力はディスク振動を低減させる。また説明すれば，ディスク１２０ａ，１２０ｂと空気圧縮面１５１ａ，１５２ａ，１５３ａとの圧縮された空気はディスク振動を減らす空気ダンピング効果を奏する。このような空気ダンピング効果によってディスク振動が低減するので，より安定したディスク１２０ａ，１２０ｂの回転が可能になり，これにより磁気ヘッドのデータ記録／再生能力とその信頼性が向上する。
【００３５】
そして，このような空気圧縮面１５１ａ，１５２ａ，１５３ａは上部空気ダンパ形成部材１５２，中間空気ダンパ形成部材１５３の各々に一つずつだけ形成されることもあるが，図示されたように複数が連続して形成されたものがディスク１２０ａ，１２０ｂのより広い範囲で前記空気ダンパを形成できるため望ましい。
【００３６】
一方，上記の間隔Ｇ１，Ｇ２の大きさは，ディスク１２０ａ，１２０ｂの回転速度と２つのディスク１２０ａ，１２０ｂ間の間隔などを考慮して十分な空気ダンピング効果を奏するように適正に定められ，また前記範囲を外れて定められることもある。特に，空気排出端１５１ｃでの間隔Ｇ２が空気ダンピング効果を奏するのに重要な変数になるが，この間隔Ｇ２が広すぎれば十分な空気ダンピング効果を得られず，この間隔Ｇ２が狭すぎればディスク１２０ａ，１２０ｂの振動によりディスク１２０ａ，１２０ｂと下部空気ダンパ形成部材１５１，上部空気ダンパ形成部材１５２，中間空気ダンパ形成部材１５３とが接触してディスク１２０ａ，１２０ｂの表面が損傷される恐れがある。
【００３７】
図７は，図４に示された空気ダンパ形成部材をディスクの半径方向に切断して示した断面図である。
【００３８】
図７を参照すれば，下部空気ダンパ形成部材１５１，上部空気ダンパ形成部材１５２，中間空気ダンパ形成部材１５３それぞれの空気圧縮面１５１ａ，１５２ａ，１５３ａはディスク１２０ａ，１２０ｂの内周側から外周側にいくほど徐々にディスク１２０ａ，１２０ｂとの間隔が狭くなるように傾いている。すなわち，空気圧縮面１５１ａ，１５２ａ，１５３ａはディスク１２０ａ，１２０ｂの半径方向に傾いてディスク１２０ａ，１２０ｂの内側部位との間隔Ｇ３よりディスク１２０ａ，１２０ｂの縁部との間隔Ｇ４が狭くなっている。これは，ディスク１２０ａ，１２０ｂの回転時に振動が発生した場合，データが記録されないディスク１２０ａ，１２０ｂの縁部を空気圧縮面１５１ａ，１５２ａ，１５３ａに接触させることによって，ディスク１２０ａ，１２０ｂのデータ記録面を空気圧縮面１５１ａ，１５２ａ，１５３ａに接触させないためである。
【００３９】
図８及び図９は，本発明の第２及び第３実施例によるディスク振動低減手段が設けられたＨＤＤの一部を示した斜視図であり，これらの図において前述した第１実施例の図４と同じ符号は同じ構成要素を示す。
【００４０】
まず図８を参照すれば，本発明の第２実施例によるＨＤＤでは，ディスク振動低減手段２５０の下部空気ダンパ形成部材２５１，上部空気ダンパ形成部材２５２，中間空気ダンパ形成部材２５３がスピンドルモータ１３０を中心に互いに対向する２箇所に各々設けられる。すなわち，下部空気ダンパ形成部材２５１，上部空気ダンパ形成部材２５２，中間空気ダンパ形成部材２５３はアクチュエータ１４０の前方だけでなく，これからディスク１２０ａ，１２０ｂの円周方向に１８０゜離れた位置にも設けられる。そして，下部空気ダンパ形成部材２５１，上部空気ダンパ形成部材２５２，中間空気ダンパ形成部材２５３それぞれの構造と設置方法及びその作用は前述した第１実施例の各空気ダンパ形成部材と同様である。このように，ディスク振動低減手段２５０が２箇所に設けられれば，下部空気ダンパ形成部材２５１，上部空気ダンパ形成部材２５２，中間空気ダンパ形成部材２５３によりディスク１２０ａ，１２０ｂに加わる力の均衡をなすことができるので，ディスク１２０ａ，１２０ｂの回転がより安定している。
【００４１】
次に，図９を参照すれば，本発明の第３実施例によるＨＤＤでは，ディスク振動低減手段３５０の下部空気ダンパ形成部材３５１，上部空気ダンパ形成部材３５２，中間空気ダンパ形成部材３５３はアクチュエータ１４０の動作範囲を除外したディスク１２０ａ，１２０ｂの外周側全面と対向するように設けられる。すなわち，下部空気ダンパ形成部材３５１，上部空気ダンパ形成部材３５２，中間空気ダンパ形成部材３５３はアクチュエータ１４０のアーム１４６と干渉する部位が開放されたＣ形状になっている。そして，下部空気ダンパ形成部材３５１，上部空気ダンパ形成部材３５２，中間空気ダンパ形成部材３５３それぞれの構造と設置方法及びその作用は前述した第１実施例の各空気ダンパ形成部材と同様である。具体的に，下部空気ダンパ形成部材３５１，上部空気ダンパ形成部材３５２，中間空気ダンパ形成部材３５３のディスク対向面にはディスク１２０ａ，１２０ｂの円周方向に沿って多数の空気圧縮面３５１ａ，３５２ａ，３５３ａが連続的に形成されている。また，中間空気ダンパ形成部材３５３は少なくとも二部分に分けられており，その部分の各々はベースプレート１１１の上に突出した回動ピン１１３に回動できるように結合される。このように，一部が開放されたＣ形状の下部空気ダンパ形成部材３５１，上部空気ダンパ形成部材３５２，中間空気ダンパ形成部材３５３によれば，実質的にディスク１２０ａ，１２０ｂの全外周にわたって均一な力が加わるので，ディスク１２０ａ，１２０ｂの振動がさらに低減するだけでなく，より安定したディスク１２０ａ，１２０ｂの回転をなすことができる。
【００４２】
以下，本発明の実施の形態によるディスク振動低減手段が設けられたＨＤＤでの振動低減効果を従来のＨＤＤと比較して説明する。
【００４３】
図１０ないし図１２は，図８に示された本発明の第２実施例によるＨＤＤでの振動の変位とその変位の変化速度及び加速度を従来の技術と比較して示したグラフである。ここに示されたグラフは，一つの空気圧縮面を有して，ディスク半径方向の幅１５ｍｍ，ディスク円周方向の長さ３０ｍｍの空気ダンパ形成部材をディスクとの最大間隔（図５のＧ１）１．２ｍｍ，最小間隔（図５のＧ２）０．１ｍｍで設置して実験した結果を示したものである。
【００４４】
まず，図１０は，周波数毎にディスク振動の最大変位を示したグラフである。これを参照すれば，本発明の実施の形態によって空気ダンパ形成部材を具備したＨＤＤでのディスク振動の最大変位は，このような空気ダンパ形成部材がない従来の技術のＨＤＤでのディスク振動の最大変位より約５０％低くなったことが分かる。
【００４５】
そして，図１１は周波数毎に振動の変位の変化速度を示したグラフであり，図１２は周波数毎に振動の変位の変化加速度を示したグラフである。図１１と図１２とを共に参照すれば，本発明の実施の形態によって空気ダンパ形成部材を具備したＨＤＤでの変位の変化速度及び加速度も従来の技術のＨＤＤでの速度及び加速度に比べて約５０％低い値を有するということが分かる。
【００４６】
上記のように，本発明の実施の形態によるディスク振動低減手段を具備したＨＤＤでは，従来の技術に比べてディスク振動が非常に低減するということが分かる。特に，図示されたように，本発明の実施の形態によれば，比較的低い周波数領域（６００〜７５０Ｈｚ）及び比較的高い周波数領域（９５０Ｈｚ以上）でのディスク振動低減効果が顕著に高いことが分かる。これにより，従来のＨＤＤでは周波数毎のディスク振動の変位，速度及び加速度値の偏差が非常に大きかったが，本発明の実施の形態によればこのような値の周波数別偏差が非常に減少する。
【００４７】
以上，添付図面を参照しながら本発明にかかる好適な実施形態について説明したが，本発明はかかる例に限定されないことは言うまでもない。当業者であれば，特許請求の範囲に記載された技術的思想の範疇内において，各種の変更例または修正例に想到し得ることは明らかであり，それらについても当然に本発明の技術的範囲に属するものと了解される。
【００４８】
【発明の効果】
以上述べたように，本発明によるＨＤＤによれば，ディスク振動低減手段の空気ダンピング作用によりディスクの振動が低減するので，データ記録／再生に対する信頼性が向上する。また，ディスク振動の低減によってディスク振動による騷音も減少する効果がある。
【図面の簡単な説明】
【図１】従来のＨＤＤを示した平面図である。
【図２】図１に示されたＨＤＤの一部を拡大して示した斜視図である。
【図３】図２に示されたスライダー部位の部分側面図である。
【図４】本発明の第１実施例によるディスク振動低減手段が設けられたＨＤＤを示した分解斜視図である。
【図５】図４に示されたディスク振動低減手段が設けられた部位を拡大して示した部分側面図である。
【図６】図４に示された中間空気ダンパ形成部材の動作を説明するための部分拡大斜視図である。
【図７】図４に示された空気ダンパ形成部材をディスクの半径方向に切断して示した断面図である。
【図８】本発明の第２実施例によるディスク振動低減手段が設けられたＨＤＤの一部を示した斜視図である。
【図９】本発明の第３実施例によるディスク振動低減手段が設けられたＨＤＤの一部を示した斜視図である。
【図１０】本発明の第２実施例によるＨＤＤでの振動の変位を従来の技術と比較して示したグラフである。
【図１１】本発明の第２実施例によるＨＤＤでの振動の変位の変化速度を従来の技術と比較して示したグラフである。
【図１２】本発明の第２実施例によるＨＤＤでの振動の変位の変化加速度を従来の技術と比較して示したグラフである。
【符号の説明】
１１１  ベースプレート
１１２  カバープレート
１１３  回動ピン
１２０ａ，１２０ｂ  磁気ディスク
１３０  スピンドルモータ
１３２  スペーサ
１３４  クランプ
１４０  アクチュエータ
１４２  スライダー
１４４  サスペンション
１４６  アーム
１４７  回動軸
１５０  ディスク振動低減手段
１５１  下部空気ダンパ形成部材
１５１ａ，１５２ａ，１５３ａ  空気圧縮面
１５２  上部空気ダンパ形成部材
１５３  中間空気ダンパ形成部材
【図１】
0004050637.tif 000002
【図２】
0004050637.tif 000003
【図３】
0004050637.tif 000004
【図４】
0004050637.tif 000005
【図５】
0004050637.tif 000006
【図６】
0004050637.tif 000007
【図７】
0004050637.tif 000008
【図８】
0004050637.tif 000009
【図９】
0004050637.tif 000010
【図１０】
0004050637.tif 000011
【図１１】
0004050637.tif 000012
【図１２】
0004050637.tif 000013